(57)【要約】【課題】従来、平瓦部の段付き部を基準に、尻・頭側に向かって下・上り傾斜面を有する構成はない。この段付き部では風雨の遡上抑止と雨仕舞が期待できない。風雨の浸入により本葺き瓦の飛散、屋根地の濡れ等の弊害がある。水返し突条の内側に水返し突条より低く、尻側から頭側に向かい流水帯域を設ける構成でない。本葺き瓦を流れる雨水が風で拡散される虞があり、屋根地の濡れ、雨漏り等の課題がある。【構成】尻側から差込み側に亙り水返し突条を備えた平瓦部と、丸瓦部と丸瓦部に連設された段落ちした玉口部とでなる瓦であり、平瓦部に段付き部を形成し、段付き部を基準に平瓦部の表面が尻側に向って下り傾斜面を形成し、段付き部を垂直端面とし、垂直端面は平瓦部の頭水垂れ面と平行する垂直面とした本葺き瓦である。風雨の遡上阻止を図り、伝統的な本瓦葺きに匹敵する重厚な雰囲気を醸成でき、雨仕舞の向上と強風による瓦の飛散防止が図れる。【選択図】    図５
2004278000.tif 000002
【特許請求の範囲】
【請求項１】
尻側から差込み側に亙り水返し突条を備えた平瓦部と、丸瓦部、及びこの丸瓦部に連設された段落ちした玉口部とでなる瓦であって、
この平瓦部に、段付き部を形成し、この段付き部を起点として、当該平瓦部の表面が尻側に向って下り傾斜面を形成し、また頭側に向って上り傾斜面を形成し、この下り傾斜面の終端と上り傾斜面の終端とで平瓦部の仮想表面ラインを形成し、前記段付き部を垂直端面とし、この垂直端面は前記平瓦部の頭水垂れ面と平行する垂直面とする構成とした本葺き瓦。
【請求項２】
尻側から差込み側に亙り水返し突条を備えた平瓦部と、丸瓦部、及びこの丸瓦部に連設された段落ちした玉口部とでなる瓦であって、
この平瓦部に、段付き部を形成し、この段付き部を起点として、当該平瓦部の表面が尻側に向って下り傾斜面を形成し、また頭側に向って上り傾斜面を形成し、前記差込み側水返し突条の内側で、かつ前記平瓦部の表面に、瓦の尻側から頭側に向かって雨水用の流水帯域を形成し、この流水帯域は前記段付き部を切り欠き形成して前記水返し突条上面と平行する流水面を有し、また前記平瓦部に安定突起を形成し、この安定突起の端面を前記丸瓦部と玉口部との境界線ラインと同じ位置に形成したことを特徴とする本葺き瓦。
【請求項３】
請求項１又は請求項２に記載の水返し突条の尻側に、衝止段部を形成し、この衝止段部を、前記丸瓦部と玉口部との境界線ラインと同じ位置に形成したことを特徴とする本葺き瓦。
【発明の詳細な説明】
【０００１】
【発明の属する技術分野】
本発明は、簡便な本葺きができる簡略本葺き瓦（本葺き瓦とする。）に関する。
【０００２】
【従来の技術】
周知の如く、伝統的社寺建築等に多く採用されている本葺き形平・丸一体構造の瓦（簡略本葺き瓦）の場合、棟から軒に向かって勾配が緩くなる照り屋根（棟近辺では勾配がきつく、中程でたるみ、軒に近づくにつれて反る）において、軒近傍や向拝つけ根周辺では著しく雨水流量が嵩み、雨仕舞対策が重要な課題となっている。
【０００３】
この課題は屋根の野地面勾配と瓦の流水面勾配との差（所謂瓦の戻り勾配）が大きな要素であり、緩勾配屋根における吹き上り雨水の遡上防止の対策が待望されているところである。
【０００４】
更に簡略本葺き瓦は重なり面が全長の２０〜２５％（本葺き平瓦の重なりは６０％超が通例）程度で施工され、尻側へ吹き込んだ雨水をいかにして阻止するかの問題も抱えている。
【０００５】
そして、流水面に段を設けた二段式の本葺き瓦については、段部で一旦さえぎられ袷側に迂回した遡上雨水が溢れ雨漏りを招く事例も多々見られる。
【０００６】
また屋根の重量軽減と施工費圧縮を目指し葺き土を省略する乾式工法では、尻側、袷側から溢れた雨水は雨漏りに直結する問題にも配慮すべきである。
【０００７】
従来、この種の簡略本葺き瓦に関する技術文献としては、（１）  実公昭５９−４２４１３号の本葺き用の瓦がある（文献（１））。この考案は、下向きに凸となるように湾曲した平瓦部と、上向きとなるように湾曲した半円筒状の丸瓦部とが一体形成された本葺用瓦であって、丸瓦部を平瓦部より若干突出し、また丸瓦部の裏面に、前記突出に対応する切欠きを形成した構成であり、丸瓦部の突出を除去して、上下（棟から軒先方向：流れ方向）の瓦の葺き合せ寸法（重なり度合い）の調整を図る構成である。（２）  特開平７−２３３５９３号の本葺用瓦がある（文献（２））。この発明は、下向きに凸となるように湾曲した平瓦部と、上向きとなるように湾曲した半円筒状の丸瓦部とを一体形成し、この丸瓦部の後端に段落ちした玉口部を形成した本葺用瓦において、丸瓦部の前後端に、重ね合わされる前後の本葺用瓦と嵌合するズレ止め用の凹凸部を形成した構成であり、台風等の強風時にもズレ、飛散が少なく、また破損した場合の交換を容易に行える特徴がある。
【０００８】
【発明が解決しようとする課題】
前記文献（１）、（２）は、平瓦部の段付き部を起点として、その尻側、又は頭側に向かって、その表面傾斜（勾配）に関する構成が開示されていない。従って、この段付き部において、風雨の遡上と阻止が期待できない問題がある。この問題とは、主として、雨水の浸入による屋根地の濡れ、稀には風の浸入により本葺き瓦の飛散等の弊害が発生することである。
【０００９】
また文献（１）、（２）は、水返し突条の内側に、この水返し突条より低く、かつ尻側から頭側に向かって雨水の流れを確保する流水帯域を設ける構成ではない。従って、本葺き用の瓦、本葺用瓦（瓦とする）の表面を流れる雨水が、主として、風により拡散される虞があり、また雨水の浸入による屋根地の濡れ、雨漏り等の問題が発生する。
【００１０】
尚、文献（１）は、瓦の丸瓦部を平瓦部より僅か突出し、この突出した部分の除去及び未除去を介して重なり度合いの調整（きき脚調整）を図る構成であり、本発明とは、着想が異なる。またこの文献（１）では、上下方向（流れ方向）に隣接して葺設された瓦の係止（衝止）関係が図れず、瓦のズレ防止が十分でない課題がある。
【００１１】
さらに文献（２）は、水返しに関する記述がなく、本葺用瓦の周辺からの雨水の浸入が考えられる。
【００１２】
上記に鑑み、本発明は、平瓦部の段付き部を起点として、平瓦部の表面が尻側に向かって下り傾斜面を形成し、また頭側に向かって上り傾斜面を形成した構成（段階形状）を採用して、葺き上がり外観を本葺きと変わらぬ、重厚な雰囲気を醸成する瓦である。また下り傾斜面より反ね上がった尻側重なり面と尻側端の水返しが相対的に高い構成となり、雨水の遡上を去勢し、裏側への回り込みを阻止するに有効である。
【００１３】
また平瓦部の段階形状と、差込み側の水返し突条との間に形成した流水帯域は、遡上した雨水を速やかに排水する機能が顕著である。そして、平瓦部両肩に設けた安定突起は、葺設した上段の瓦との葺き合わせの安定性を高め、合端をよくする等の少なくとも二つの効果を持つ構成とする。
【００１４】
更に、安全突起の突起形状を、美観を損ねないように頭側と尻側の谷面曲率を変えることも可能である。
【００１５】
尚、本発明では、平瓦部裏面頭側端に設けた逆水止め溝と、この逆水止め溝の両側に形成される二重の堰は水垂れ下端から回り込む雨水の浸入を防ぐに有効な手段である。
【００１６】
【課題を解決するための手段】
請求項１の発明は、平瓦部の流れ面（尻側重なり面を除いた露出表面）の略中央位置に設けた段付き部を垂直端面とし、この垂直端面は平瓦部の頭水垂れ面と平行する垂直面とする構成としたので、風雨の遡上の緩和を図ること、また雨仕舞の向上と、強風による瓦の飛散防止等を図ること、等を意図する。また段付き部を起点として、平瓦部の表面が尻側に向って下り傾斜面を形成し、また頭側に向って上り傾斜面を形成した構成であって、下り傾斜面を基準とすれば、尻側の水返し突条は相対的に高くし、遡上（逆流）する風雨を確実に阻止すること、等を意図する。さらに平瓦部の階段形状は、施工後に見える部分に限定して本葺き瓦屋根の体裁を確保しつつ、雨水の流水路を確保すること、等を意図する。
【００１７】
請求項１は、尻側から差込み側に亙り水返し突条を備えた平瓦部と、丸瓦部、及びこの丸瓦部に連設された段落ちした玉口部とでなる瓦であって、
この平瓦部に、段付き部を形成し、この段付き部を起点として、当該平瓦部の表面が尻側に向って下り傾斜面を形成し、また頭側に向って上り傾斜面を形成し、この下り傾斜面の終端と上り傾斜面の終端とで平瓦部の仮想表面ラインを形成し、前記段付き部を垂直端面とし、この垂直端面は前記平瓦部の頭水垂れ面と平行する垂直面とする構成とした本葺き瓦である。請求項２の発明は、請求項１の目的を達成し、かつ上下方向のズレ防止と、又は飛散防止と、葺合せの容易化等を意図する。
【００１８】
請求項２は、尻側から差込み側に亙り水返し突条を備えた平瓦部と、丸瓦部、及びこの丸瓦部に連設された段落ちした玉口部とでなる瓦であって、
この平瓦部に、段付き部を形成し、この段付き部を起点として、当該平瓦部の表面が尻側に向って下り傾斜面を形成し、また頭側に向って上り傾斜面を形成し、前記差込み側水返し突条の内側で、かつ前記平瓦部の表面に、瓦の尻側から頭側に向かって雨水用の流水帯域を形成し、この流水帯域は前記段付き部を削ぎ落し形成して前記水返し突条上面と平行する流水面を有し、また前記平瓦部に安定突起を形成し、この安定突起の端面を前記丸瓦部と玉口部との境界線ラインと同じ位置に形成したことを特徴とする本葺き瓦である。
【００１９】
請求項３の発明は、請求項１又は請求項２の目的を達成し、かつ上下方向のズレ防止、飛散防止等の強化と、葺合せの一層の容易化等を意図する。
【００２０】
請求項３は、請求項１又は請求項２に記載の水返し突条の尻側に、衝止段部を形成し、この衝止段部を、前記丸瓦部と玉口部との境界線ラインと同じ位置に形成したことを特徴とする本葺き瓦である。
【００２１】
【発明の実施の形態】
屋根地に固定された横棧に、本葺き瓦（原則として瓦Ａ、Ａ−１、Ａ−２とする）裏面を当接するとともに、当該横棧に、裏面に設けた引掛け（図示せず）を引掛ける。この横棧との係止により、当該瓦は屋根地に確実かつ容易に葺き上げられる。この葺き上げられた際に、平瓦部の略中央部に設けられた段付き部を起点として、この平瓦部の表面が尻側に向って下り傾斜面となり、また頭側に向って上り傾斜面となる。これにより、この上流側（棟方向）の表面が尻側に向って下り傾斜面となり、下流側（軒先方向）の表面が頭側に向って上り傾斜面となる。また下り傾斜面の終端と上り傾斜面の終端とで平瓦部の仮想表面ラインとなる。また平瓦部の略中心位置に設けた段付き部を垂直端面とし、この垂直端面は平瓦部の頭水垂れ面と平行する垂直面とする構成としたので、風雨の遡上阻止に有益であり、もって、雨仕舞の向上と、強風による本葺き瓦の飛散防止等が図れる。また施工後は、伝統的な本瓦葺きに匹敵する重厚な雰囲気を醸成する効果も大である。殊に、本発明の瓦が、照り屋根の寺社建築等の建物における当該照り屋根の著しい緩勾配になる軒先周りや、向拝の付け根等の如く、著しく雨水流量の多い場合でも、流水帯域により尻側表面等の雨水を確実に、頭側に流下できる特徴があり、以って、雨仕舞対策に極めて大きい実益がある。殊に、尻側の水返し突条に溜りやすい雨水を流水帯域を利用して、当該瓦Ａの頭側への流下と、下の瓦（図示せず）への確実な流下が図れる。
【００２２】
尚、この瓦Ａには、桁方向（妻側方向）に葺かれる瓦Ａ−１（隣接瓦Ａ−１とする）が、瓦Ａの平瓦部の差込み側に重ね葺きされる。この際、瓦Ａの表面の段付き部及び下り傾斜面（下り表面）、並びに上り傾斜面（上り表面）には、隣接瓦Ａ−１の面戸部に設けた段付き及び下り端面並びに上り端面がそれぞれ当接される。そして、瓦Ａの流水帯域は、隣接瓦Ａ−１の丸瓦部で隠蔽される。この流水帯域は、瓦Ａと上方瓦Ａ−２及びこの隣接瓦Ａ−１との重なり部にあり、平瓦部から遡上する雨水を誘導する流水路（排水路）となる。そして、この流水帯域は、丸瓦部及び面戸部により、略完全に隠蔽されることから、風雨に阻害されることなく、スムーズな流れが確保できる。また雨仕舞の向上に有益である。
【００２３】
またこの瓦Ａには、棟方向に葺かれる瓦Ａ−２（上方瓦Ａ−２とする）を重ね葺きする。即ち、瓦Ａの尻側表面と玉口部には、上方瓦Ａ−２の平瓦部の頭側と、丸瓦部の頭側とを、それぞれ重ね葺きする。この重ね葺きの際に、当該瓦Ａの平瓦部の表面に設けた安定突起、水返し突条に設けた衝止段部、及び丸瓦部に連設された段おとし玉口部には、上方瓦Ａ−２の平瓦部及び丸瓦部の頭水垂れが係止（衝止）する。この係止により、ズレ防止が図れること、重ね葺き、位置決め等の確実性、及び容易化が達成されること、又は施工の容易化、耐風雨効果、等が図れること、等の特徴がある。そして、その後、釘止めを行い瓦Ａの施工を終了する。
【００２４】
【実施例】
以下、本発明の一実施例を説明する。
【００２５】
１は本葺き用の瓦（瓦とする）で、この瓦１は、水返し突条２を備えた平瓦部３と、丸瓦部４、及びこの丸瓦部４に連設された段落し玉口部５とでなる。そして、この平瓦部３に、段付き部３０を形成し、この段付き部３０を起点として、当該平瓦部３の表面３ａの一方は、尻側１−２に向って下り傾斜面３００を形成する。またこの表面３ａの他方は、頭側１−１に向って上り傾斜面３０１を形成し、この場合、この下り傾斜面３００の尻側重なり部との境目に仮定される終端３００ａと、上り傾斜面３０１の頭側終端３０１ａとを結んだラインは、平瓦部３の仮想表面ラインＨ（従来の表面基準ラインに相当する）となる。そして、段付き部３０を垂直端面３０−１とし、この垂直端面３０−１は平瓦部３の頭水垂れ６と略平行する垂直面に位置する。またこの垂直端面３０−１は、仮想表面ラインＨを起点として下り傾斜面３００の始端３００ｂは高く、上り傾斜面３０１の始端３０１ｂは低く構成されている。尚、瓦１の差込み側１−４は、頭側１−１端及び尻側１−２端とそれぞれ略直角に構成されており、平瓦部３を平面視すると方形状である。
【００２６】
７は平瓦部３の差込み側１−４で、かつ平瓦部３の尻側１−２から頭側１−１に向って設けた流水帯域である。この流水帯域７の上面は、前記仮想表面ラインＨを差込み側１−４の水返し突条２の内方に平行移動した線上に形成され、下り傾斜面３００より低く（流れ方向に向って略三角形状の窪み部）、上り傾斜面３０１より高く（流れ方向に向って略三角形状の薄い膨出部が）構成されている。また流水帯域７の頭側１−１端部に堰７０を設け、雨水を上り傾斜面３０１の頭側１−１を介して下の瓦（図示せず）に誘導する。この平瓦部３の上下り傾斜面３００、３０１には、流水帯域７を隠蔽するように、隣接瓦Ａ−１の丸瓦部４’が当接されるとともに、流水帯域７の流下路が確保される。
【００２７】
８は平瓦部３に設けた安定突起で、この安定突起８の端面８０を丸瓦部４と玉口部５との境界線ラインＩと同じ位置に形成する。従って、この安定突起８の端面８０には、上方瓦Ａ−２の頭側１’−１（頭垂れ）が衝止（係止）される。即ち、下り傾斜面３００の終端３００ａ表面曲面と、上方瓦Ａ−２の上り傾斜面３０１’の終端３０１’ａの端曲面（頭側１’−１の頭水垂れ）の差を利用して、この衝止を図る。
【００２８】
１１は水返し突条２の尻部に設けた衝止段部で、この衝止段部１１には、上方瓦Ａ−２の水返し突条２’の頭側端（上方瓦Ａ−２の頭側１’−１）が衝止される。これにより、ズレ防止と、位置決めが図れる。また作業性、施工性、葺設工事の簡略化等が図れる実益がある。この衝止段部１１は、水返しとしての役割を担うように、平瓦部３より突出する。
【００２９】
１２は丸瓦部４の面戸部４０に設けられた段部であり、面戸部４０は上手端面４０１及び下手端面４０２を有する。この段部１２は、他の隣接瓦Ａ−３の表面３”ａの段付き部３０”に被嵌され、同時に上手端面４０１及び下手端面４０２は他の隣接瓦Ａ−３の表面３”ａの下り傾斜面３００”及び上り傾斜面３０１”に当接される構成である。これらの被嵌並びに当接構成は葺き合わせのガイド、葺き合わせからの風雨の浸入防止等の役目をする。
【００３０】
図中１３は釘孔、１４は平瓦部３の裏面３ｂの頭側端に設けた逆水止め溝、１５は誘水溝である。尚、逆水止め溝１４は、頭水垂れ６の水切り効果向上に役立つ。
【００３１】
また１６は平瓦部３の裏面３ｂの頭側端内方に設けた窪み帯で、この窪み帯１６には、尻側１−２の水返し突条２が挿入される。寸法の一例を説明すると、窪み帯１６が２８ｍｍ程度で、水返し突条２が１０ｍｍ程度とし、この寸法差のきき脚調整ができる。またこの水返し突条２に窪み帯１６が挿入されることで、頭側１−１の持ち上がりが少なくなり、例えば、頭水垂れ６下端と尻重なり面（終端３００ａ、又は境界線ラインＩ）との間に生じ易い隙間を防ぐことで、風雨による持ち上がり（瓦１の捲れ）防止に役立つこと、又は風雨の上方への逃がし効果が期待できること、等の特徴がある。また水返し突条２が窪み帯１６に接することで、この水返し突条２の上面に達した雨水を毛管現象で尻側１−２端面に呼び込むことを回避し、防水効果が期待できる実益がある。
【００３２】
【発明の効果】
請求項１の発明は、尻側から差込み側に亙り水返し突条を備えた平瓦部と、丸瓦部、及び丸瓦部に連設された段落ちした玉口部とでなる瓦であって、平瓦部に、段付き部を形成し、段付き部を起点として、平瓦部の表面が尻側に向って下り傾斜面を形成し、また頭側に向って上り傾斜面を形成し、下り傾斜面の終端と上り傾斜面の終端とで平瓦部の仮想表面ラインを形成し、段付き部を垂直端面とし、垂直端面は平瓦部の頭水垂れ面と平行する垂直面とした本葺き瓦である。従って、平瓦部の流れ面（尻側重なり面を除いた露出表面）の略中央位置に設けた段付き部を垂直端面とし、この垂直端面は平瓦部の頭水垂れ面と平行する垂直面とする構成としたので、風雨の遡上阻止が図れること、また雨仕舞の向上と、強風による瓦の飛散防止等が図れること、等の特徴がある。また段付き部を起点として、平瓦部の表面が尻側に向って下り傾斜面を形成し、また頭側に向って上り傾斜面を形成した構成であって、下り傾斜面を基準とすれば、尻側の水返し突条は相対的に高くし、簡略瓦の根本的問題である緩勾配施工における雨水の遡上阻止ができること、また平瓦部の階段形状は、施工後に見える部分に限定して本葺き瓦屋根の体裁を確保しつつ、雨水の流水路が確保できること、等の実益がある。
【００３３】
請求項２の発明は、尻側から差込み側に亙り水返し突条を備えた平瓦部と、丸瓦部、及びこの丸瓦部に連設された段落ちした玉口部とでなる瓦であって、平瓦部に、段付き部を形成し、段付き部を起点として、平瓦部の表面が尻側に向って下り傾斜面を形成し、また頭側に向って上り傾斜面を形成し、差込み側水返し突条の内側で、かつ平瓦部の表面に、瓦の尻側から頭側に向かって雨水用の流水帯域を形成し、流水帯域は前記段付き部を切り欠き形成して水返し突条上面と平行する流水面を有し、また平瓦部に安定突起を形成し、安定突起の端面を丸瓦部と玉口部との境界線ラインと同じ位置に形成した本葺き瓦である。従って、請求項１の目的を達成できること、また上下方向のズレ防止と、又は飛散防止と、葺合せの容易化等が図れる特徴がある。
【００３４】
請求項３の発明は、請求項１又は請求項２に記載の水返し突条の尻側に、衝止段部を形成し、衝止段部を、丸瓦部と玉口部との境界線ラインと同じ位置に形成したことを特徴とする本葺き瓦である。従って、請求項１又は請求項２の目的を達成できること、また上下方向のズレ防止、飛散防止等の強化と、葺合せの容易化等が図れる特徴がある。
【図面の簡単な説明】
【図１】本発明の本葺き瓦の平面図
【図２】本発明の本葺き瓦の右側面図
【図３】本発明の本葺き瓦の左側面図
【図４】本発明の本葺き瓦の頭側よりみた正面図
【図５】図１のＡ−Ａ断面図
【図６】本発明の葺き合せ状態の縮尺平面図
【符号の説明】
１        瓦
１−１      頭側
１’−１      頭側
１−２      尻側
１−４      差込み側
２        水返し突条
２’        水返し突条
３        平瓦部
３ａ        表面
３”ａ      表面
３ｂ        裏面
３０        段付き部
３０”      段付き部
３０−１      垂直端面
３００      下り傾斜面
３００”      下り傾斜面
３００ａ      終端
３００ｂ      始端
３０１        上り傾斜面
３０１’        上り傾斜面
３０１”        上り傾斜面
３０１ａ      終端
３０１’ａ    終端
３０１ｂ      始端
４        丸瓦部
４’        丸瓦部
４０        面戸部
４０１        上手端面
４０２        下手端面
５        玉口部
６        頭水垂れ
７        流水帯域
７０        堰
８        安定突起
８０        端面
１１        衝止段部
１２        段部
１３        釘孔
１４        逆水止め溝
１５        誘水溝
１６        窪み帯
Ａ        瓦
Ａ−１      隣接瓦
Ａ−２      上方瓦
Ａ−３      他の隣接瓦
Ｈ          仮想表面ライン
Ｉ        境界線ライン
【図１】
2004278000.tif 000003
【図２】
2004278000.tif 000004
【図３】
2004278000.tif 000005
【図４】
2004278000.tif 000006
【図５】
2004278000.tif 000007
【図６】
2004278000.tif 000008